【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
電子機器に動画録画方法を実行させるためのコンピュータプログラムであって、
前記動画録画方法は、
前記電子機器が含むカメラを利用した映像撮影モードに入ることにより、前記カメラを通じて入力されるプレビュー映像を予め設定されたフレーム毎秒を基準にキャプチャする段階と、
前記キャプチャされたプレビュー映像を格納する段階と、
予め設定された複数のタイムフェイク効果のうちの少なくとも１つのタイムフェイク効果を前記格納されたプレビュー映像に適用する段階と、
前記少なくとも１つのタイムフェイク効果が適用されたプレビュー映像をエンコードして予め設定されたフォーマットの動画ファイルを生成する段階と、
を含む、コンピュータプログラム。
【請求項２】
前記キャプチャされたプレビュー映像を格納する段階は、
予め設定されたプレビュー録画命令が入力された時点以前にキャプチャされた第１サイズのプレビュー映像と、前記プレビュー録画命令が入力された時点以後にキャプチャされた第２サイズのプレビュー映像とを格納する、
請求項１に記載のコンピュータプログラム。
【請求項３】
前記キャプチャされたプレビュー映像を格納する段階は、
前記第１サイズの第１バッファを生成し、前記プレビュー録画命令が入力される前までにキャプチャされたプレビュー映像を生成された前記第１バッファに格納し、
前記キャプチャされたプレビュー映像のサイズが前記第１サイズを超過する場合には、相対的に過去にキャプチャされたフレームを削除して前記第１バッファに前記第１サイズのプレビュー映像を格納する、
請求項２に記載のコンピュータプログラム。
【請求項４】
前記キャプチャされたプレビュー映像を格納する段階は、
前記第２サイズ以上のサイズを有する第２バッファを生成し、前記プレビュー録画命令が入力された時点から予め設定された時間内にキャプチャされたプレビュー映像を前記第２バッファに格納する、
請求項２又は３に記載のコンピュータプログラム。
【請求項５】
前記動画録画方法は、さらに、
複数の撮影音を管理し、前記複数の撮影音のうちから選択された撮影音を前記プレビュー映像の録画開始を知らせるための撮影音に設定する段階と、
前記プレビュー録画命令が入力されるためのユーザインタフェースを生成する段階と、
前記ユーザインタフェースに前記プレビュー録画命令が入力された場合には、前記設定された撮影音を出力する段階と、
を含む、請求項２乃至４のいずれか１項に記載のコンピュータプログラム。
【請求項６】
前記タイムフェイク効果は、前記格納されたプレビュー映像が含むフレームのうちの少なくとも一部のフレームの表示順序を逆に変更する第１効果を少なくとも含み、かつ、前記少なくとも一部のフレームの表示速度を増加させるための第２効果、前記少なくとも一部のフレームの表示速度を減少させるための第３効果、前記第１効果と前記第２効果が結合した第４効果、および、前記第１効果と前記第３効果が結合した第５効果、のうちの少なくとも１つ以上の効果をさらに含む、
請求項１乃至５のいずれか１項に記載のコンピュータプログラム。
【請求項７】
前記少なくとも１つのタイムフェイク効果を前記格納されたプレビュー映像に適用する段階は、
前記格納されたプレビュー映像を利用して互いに異なるタイムフェイク効果が適用された複数の映像を生成して提供し、
前記予め設定されたフォーマットの動画ファイルを生成する段階は、
前記提供された複数の映像のうちから選択された映像をエンコードして前記動画ファイルを生成する、
請求項１乃至６のいずれか１項に記載のコンピュータプログラム。
【請求項８】
前記少なくとも１つのタイムフェイク効果を前記格納されたプレビュー映像に適用する段階は、
前記複数のタイムフェイク効果のうちの少なくとも１つのタイムフェイク効果が選択されるようにユーザインタフェースを生成し、前記生成されたユーザインタフェースを通じて選択されたタイムフェイク効果を前記格納されたプレビュー映像に適用する、
請求項１乃至７のいずれか１項に記載のコンピュータプログラム。
【請求項９】
前記少なくとも１つのタイムフェイク効果を前記格納されたプレビュー映像に適用する段階は、
前記少なくとも１つのタイムフェイク効果にしたがい、前記格納されたプレビューのフレームのうちの少なくとも一部のフレームの再生速度および再生順序のうちの少なくとも１つを変更する、
請求項１乃至８のいずれか１項に記載のコンピュータプログラム。
【請求項１０】
前記動画録画方法は、さらに、
前記プレビュー映像がキャプチャされている間に、前記電子機器が含むマイクを通じて入力されたオーディオ信号を録音する段階と、
前記録音されたオーディオ信号を前記キャプチャされたプレビュー映像と同期化する段階と、
を含む、請求項１乃至９のいずれか１項に記載のコンピュータプログラム。
【請求項１１】
電子機器の動画録画方法であって、
前記電子機器が含むカメラを利用した映像撮影モードに入ることにより、前記カメラを通じて入力されるプレビュー映像を予め設定されたフレーム毎秒を基準にキャプチャする段階と、
前記キャプチャされたプレビュー映像を格納する段階と、
予め設定された複数のタイムフェイク効果のうちの少なくとも１つのタイムフェイク効果を前記格納されたプレビュー映像に適用する段階と、
前記少なくとも１つのタイムフェイク効果が適用されたプレビュー映像をエンコードして予め設定されたフォーマットの動画ファイルを生成する段階と、
を含む、動画録画方法。
【請求項１２】
前記キャプチャされたプレビュー映像を格納する段階は、
予め設定されたプレビュー録画命令が入力された時点以前にキャプチャされた第１サイズのプレビュー映像と、前記プレビュー録画命令が入力された時点以後にキャプチャされた第２サイズのプレビュー映像とを格納する、
請求項１１に記載の動画録画方法。
【請求項１３】
前記キャプチャされたプレビュー映像を格納する段階は、
前記第１サイズの第１バッファを生成し、前記プレビュー録画命令が入力される前までにキャプチャされたプレビュー映像を生成された前記第１バッファに格納し、
前記キャプチャされたプレビュー映像のサイズが前記第１サイズを超過する場合には、相対的に過去にキャプチャされたフレームを削除して前記第１バッファに前記第１サイズのプレビュー映像を格納する、
請求項１２に記載の動画録画方法。
【請求項１４】
前記キャプチャされたプレビュー映像を格納する段階は、
前記第２サイズ以上のサイズを有する第２バッファを生成し、前記プレビュー録画命令が入力された時点から予め設定された時間内にキャプチャされたプレビュー映像を前記第２バッファに格納する、
請求項１２又は１３に記載の動画録画方法。
【請求項１５】
前記タイムフェイク効果は、前記格納されたプレビュー映像が含むフレームのうちの少なくとも一部のフレームの表示順序を逆に変更する第１効果を少なくとも含み、かつ、前記少なくとも一部のフレームの表示速度を増加させるための第２効果、前記少なくとも一部のフレームの表示速度を減少させるための第３効果、前記第１効果と前記第２効果が結合した第４効果、および、前記第１効果と前記第３効果が結合した第５効果、のうちの少なくとも１つ以上の効果をさらに含む、
請求項１１乃至１４のいずれか１項に記載の動画録画方法。
【請求項１６】
前記少なくとも１つのタイムフェイク効果を前記格納されたプレビュー映像に適用する段階は、
前記格納されたプレビュー映像を利用して互いに異なるタイムフェイク効果が適用された複数の映像を生成して提供し、
前記予め設定されたフォーマットの動画ファイルを生成する段階は、
前記提供された複数の映像のうちから選択された映像をエンコードして前記動画ファイルを生成する、
請求項１１乃至１５のいずれか１項に記載の動画録画方法。
【請求項１７】
前記少なくとも１つのタイムフェイク効果を前記格納されたプレビュー映像に適用する段階は、
前記複数のタイムフェイク効果のうちの少なくとも１つのタイムフェイク効果が選択されるようにユーザインタフェースを生成し、前記生成されたユーザインタフェースを通じて選択されたタイムフェイク効果を前記格納されたプレビュー映像に適用する、
請求項１１乃至１６のいずれか１項に記載の動画録画方法。
【請求項１８】
前記少なくとも１つのタイムフェイク効果を前記格納されたプレビュー映像に適用する段階は、
前記少なくとも１つのタイムフェイク効果にしたがい、前記格納されたプレビューのフレームのうちの少なくとも一部のフレームの再生速度および再生順序のうちの少なくとも１つを変更する、
請求項１１乃至１７のいずれか１項に記載の動画録画方法。
【請求項１９】
ファイルを配布する装置であって、
コンピュータプログラムを電子機器にインストールするためのインストールファイルを格納場所に格納する格納部と、
ネットワークを介してアクセスした前記電子機器から前記インストールファイルに対する要求を受信する受信部と、
前記要求されたインストールファイルを前記ネットワークを介して前記電子機器に送信する送信部と、
を含み、
前記コンピュータプログラムは、
前記電子機器が含むカメラを利用した映像撮影モードに入ることにより、前記カメラを通じて入力されるプレビュー映像を予め設定されたフレーム毎秒を基準にキャプチャするように前記電子機器を制御するモジュールと、
前記キャプチャされたプレビュー映像を格納するように前記電子機器を制御するモジュールと、
予め設定された複数のタイムフェイク効果のうちの少なくとも１つのタイムフェイク効果を前記格納されたプレビュー映像に適用するように前記電子機器を制御するモジュールと、
前記少なくとも１つのタイムフェイク効果が適用されたプレビュー映像をエンコードして予め設定されたフォーマットの動画ファイルを生成するように前記電子機器を制御するモジュールと、
を含む、装置。
【請求項２０】
前記キャプチャされたプレビュー映像を格納するように前記電子機器を制御するモジュールは、
予め設定されたプレビュー録画命令が入力された時点以前にキャプチャされた第１サイズのプレビュー映像と、前記プレビュー録画命令が入力された時点以後にキャプチャされた第２サイズのプレビュー映像とを格納するように前記電子機器を制御する、
請求項１９に記載の装置。